(57)【要約】【課題】マットの一部を移動させるスライド部を設けたベッドは、このスライド部は左右どちらかに移動するが、スライド部は常にベッド本体に接続しており、介護者の作業の妨げになることがある。また、左右にしか移動しないために、ベッドの設置場所が制限されるという問題がある。【解決手段】ベッド本体を、上部ベッドと下部ベッドに分割し、両上下部ベッドはそれぞれ独立したマットレスを載せるフレームと脚部を有し、それぞれ独立して任意の方向に移動可能で、フレームに設けた接続構造によって分離、接続が行える構成とし、上部ベッドのフレームの後部端から所定幅にわたってマットレスの下に位置するようにシンクを設け、さらに、この上部ベッドの利用者の両膝の裏側付近に位置する個所にベッドの両側からそれぞれ所定長さの膝上げ台をベッドの幅方向に先端が対向するように配置し、それぞれの膝上げ台を上部ベッドに取り付けた駆動機構に片持ち状に接続してそれぞれの膝上げ台を上下動可能としたことを特徴とする。【選択図】        図１
2008136780.tif 000002
【特許請求の範囲】
【請求項１】
ベッド本体を、上部ベッドと下部ベッドに分割し、両上下部ベッドはそれぞれ独立したマットレスを載せるフレームと脚部を有し、それぞれ独立して任意の方向に移動可能で、フレームに設けた接続構造によって分離、接続が行える構成とし、上部ベッドのフレームの後部端から所定幅にわたってマットレスの下に位置するようにシンクを設け、さらに、この上部ベッドの利用者の両膝の裏側付近に位置する個所にベッドの両側からそれぞれ所定長さの膝上げ台をベッドの幅方向に先端が対向するように配置し、それぞれの膝上げ台を上部ベッドに取り付けた駆動機構に片持ち状に接続してそれぞれの膝上げ台を上下動可能としたことを特徴とするベッド。
【請求項２】
請求項１において、両膝上げ台を一つの駆動機構に連結した連結体に取り付け、両膝上げ台を同時に駆動するようにしたことを特徴とするベッド。
【請求項３】
請求項１において、膝上げ台を駆動機構に連結した連結体に対して着脱可能にしたことを特徴とするベッド。
【請求項４】
請求項１において、上部ベッドのフレームの後端に、マットレス面に座った状態で丁度足を載せることができる高さとなるような位置にほぼ水平に配置できるように後部を回動可能に取り付けたことを特徴とするベッド。
【発明の詳細な説明】
【技術分野】
【０００１】
本発明は、要介護老人や病人等（以下利用者という。）が用いることができる介護用のベッドに関する。
【背景技術】
【０００２】
従来のベッドで、ベッドのレームが縦方向に上部と下部に分割して分離可能にしたベッドがある（例えば、特許文献１、特許文献２）。
【特許文献１】特開２００１−２９９８３３号公報
【特許文献２】特開２００２−１７７９４号公報  また、ベッド上で脚を上げられるようにバーが上下動するようにした技術がある（例えば、特許文献３、特許文献４）
【特許文献３】実開昭５４−１８４２０８号公報
【特許文献４】実開昭６１−８８７２６号公報
【発明の開示】
【発明が解決しようとする課題】
【０００３】
しかしながら、このような上下に分割可能にしたベッドは、要介護老人や病人等が用いた場合に、下腹部洗浄を行うことができないという問題がある。
また、バーを設けるベッドは、バーが邪魔になり、これも要介護老人や病人等が用いた場合に、下腹部洗浄を行うことができないという問題がある。
本発明は、上記の問題点を解決するためになされたもので、ベッド本体を上部ベッド、下部ベッドの独立した二つのベッドに分割し、それぞれの部分を独立して移動可能にすると共に左右に膝上げバーを独立させて設け、両脚を膝の関節部分（ふくらはぎ）から持ち上げることができるようにすることを目的とする。
【課題を解決するための手段】
【０００４】
そこで本発明は、ベッド本体を、上部（頭側）ベッドと下部（足側）ベッドに分割し、両上下部ベッドはそれぞれ独立したマットレスを載せるフレームと脚部を有し、それぞれ独立して任意の方向に移動可能で、フレームに設けた接続構造によって分離、接続が行える構成とし、上部ベッドのフレームの後部端から所定幅にわたってマットレスの下に位置するようにシンクを設け、このシンクに排水口を設け、ホースを接続することによりシンクの水を排出できるようにし、さらに、この上部ベッドの利用者の膝の裏側付近に位置する個所にベッドの両側からそれぞれ所定長さの膝上げ台をベッドの幅方向に先端が対向するように配置し、それぞれの膝上げ台を上部ベッドに取り付けた駆動機構に片持ち状に接続してそれぞれの膝上げ台を上下動可能としたことを特徴とする。
【発明の効果】
【０００５】
上記の構成により、本発明は、ベッドを上下部に分割可能にし、その分割した各ベッドの両方共をそれぞれ独立して移動を可能とし、その上部ベッドに設けたシンクおよび両膝上げ台によって、ベッド上で使用者の下腹部に接近した状態で対向して位置することができることになり、介護者は、使
用者の下腹部の洗浄を行うことができることになる。
【０００６】
さらに、膝上げ台により脚を上げ、さらに腰を上げた状態にすることができるために、着替えやシーツの交換等の作業を介護者は使用者の身体を片手で支えることなく両手で作業することができることになり各種作業を容易に行うことができるという効果がある。
【発明を実施するための最良の形態】
【０００７】
以下に、図面を参照して本発明の実施例を説明する。
図１は実施例を示す説明図である。
図において、１はベッド本体であり、任意個所、例えば腰付近から頭までの上部ベッド２とそれより脚側の下部ベッド３とに分割し、上下部ベッド２、３はそれぞれ独立したマットレスを載せるフレーム４、５とその四隅にそれぞれ脚部６、７を有し、図２に示す如く、分離が可能となっている。また、両上下部ベッド２、３の脚部６、７にはキャスター８、９を付けておき、それぞれの上下部ベッド２、３を容易に移動できるようにしておくとよい。なお、上記の分割個所は、上記では腰付近としたが、その個所の限るものではなく、それ以外の個所、例えば膝付近でもよく、さらには、大腿部付近や尻付近等でもよいもので、適宜に定めた位置とする。また、両フレーム４、５にはそれぞれマットレスが装着される。
【０００８】
これら上部ベッド２と下部ベッド３の両フレーム４、５は、そのフレーム４、５の互いの接合端部に取り付けた係止突起１０と係止部１１等の任意の接続構造１２によって分離および接続が容易に行えるようになっている。この接続構造は説明したような構造に限るものではなく、どのような構造でもよいもので、例えば、一方をほぞ状とし、他方をほぞ穴状とした接続構造を併用してもよい。要は、両上下部ベッド２、３が確実に連結状態が確保でき、また容易に分離できる構造であればどのような構造でもよい。この接続構造１２は、図示したような手動構造でもよいが、自動構造としても無論よい。
【０００９】
なお、この上部ベッド２および下部ベッド３のそれぞれは、従来からあるようなどのような機能や形式のベッドの構造でよいものである。例えば、マットレスを載せる枠体が所定個所で曲折してマットレスを曲折させることができるように所望個所で回動可能に連続させた枠体をモーターやシリンダ等による適宜な駆動手段で部分的に駆動させる構造としてマットレスを曲折して所望の角度の背もたれを形成する曲折機構や、フレームに上記のような適宜な駆動手段を設けてマットレスを載せる枠体を上下動させてマットレス面を所望の高さにする高さ調節機構、さらにはマットレスを載せる枠体の一端を回動可能にフレームに取り付け、フレームに上記のような適宜な駆動手段を設けることによってマットレス全体を所望の角度に傾斜させることができる角度調節機構等の既存の各種機構を有したものでよい。それら機構の操作は、手元に配線を伸ばした図示しない操作具のスイッチ操作でモーターやシリンダを操作して自動操作することができるものである。例として、曲折機構により曲折させて椅子のようにした場合を図３に示す。
【００１０】
１３は足載せ台であり、上部ベッド２のフレーム４の後端に、マットレス面に座った状態で丁度足を載せることができる高さとなるような位置にほぼ水平に配置できるように後部を回動可能に取り付け、不使用時にはその後部の回動部によりフレーム４の後端側に起こして畳めるようにしてある。なお、この足載せ台１３の上面は足を載せても冷たくないように多少のクッション性を有する表面としておくとよい。
【００１１】
１４はシンクであり、上部ベッド２のフレーム４の後部端から頭部側に所定幅にわたってマットレスの下に位置するように設けたものである。このシンク１４は、任意個所、本実施例では中央に排水口１５が設けてあり、ホースを接続することによりシンクの水を近くに置いたバケツ等に排出することができるようにしてある。
したがって、通常時はシンク１４上にはマットレスを載せてシンク１４を覆った状態でベッド状態であり、必要に応じてそのマットレスを外すことによりシンク１４が現われるようにしてある。なお、本実施例では、そのシンク１４の上端部に上記の曲折機構が設けてあり、この曲折機構によって曲折した図３の状態は、丁度シンク上のマットレスに座った状態となっている。
【００１２】
つぎに、上記下部ベッド３もしくは上部ベッド２（本実施例では上部ベッド２）の利用者の両方の膝の裏側付近に位置する個所のベッドの両側にそれぞれ片持ち状態で膝上げ台１６を対向するように配置する。
この膝上げ台１６はそれぞれ利用者の膝の裏側から下部（ふくらはぎ）を支えることができる長さであり、少なくとも上部をクッション材等の軟質材（クッション）によって覆ったような構造である。
【００１３】
それぞれの膝上げ台１６は上部ベッド２のマットレス端に設けた収納部１７に納まるようになっている。したがって、膝上げ台が収納部に納まったときには膝上げ台の上面とマットレスの上面とは同一面となるようにしてある。
これら各膝上げ台１６の支持軸は、上部ベッド２に取り付けたモーターやシリンダ等の駆動機構１８によって駆動する軸、腕もしくはアングル等の連結体１９の先端に支持されている。したがって、これら膝上げ台１６は上部ベッド２と一体になっており、上部ベッド２の移動に伴って移動することになる。
【００１４】
各膝上げ台１６は、図示する如く、それぞれ駆動機構によって独立して駆動できるものであるが、上部ベッド２の下部中程に一つの駆動機構を設け、この駆動機構によって駆動されるベッド幅方向に配置した連結軸の両端に膝上げバーの両側に連結する連結体１９をそれぞれ同時に駆動するようにして両膝上げ台を同時に上下動させるようにしてもよい。
なお、上記の如く、この駆動機構１８はモーターやシリンダ等どのような構造のものでもよく、例えば、モーター軸に連結した膝上げ台１６の支持軸を回動可能に連結して上下に駆動できるようにしたり、シリンダの場合にはシリンダ軸に直接膝上げ台１６の支持軸を回動可能に連結したような構造である。  
【００１５】
膝上げ台を傾斜させることができるようにすることにより、利用者の身体を横にしたり寝返りをうつような作動が容易に行えることになる。
さらに、膝上げ台１６は、その端部をそれぞれ連結体１９や駆動機構等から外したりて取り付けたりして着脱することができるようにしてもよい。
以上の構成によると、駆動機構１８を駆動することによって、両膝上げ台１６は、連結体１９を介して上下動することができ、駆動機構１８の駆動を停止することによって所望の位置（角度）でそれぞれ膝上げ台１６を止めることができる。
【００１６】
なお、この駆動機構１８は、上記した如く、通常にある一般的な駆動機構でよく、その選ばれた駆動機構によって膝上げ台１６に動力を伝える連結体１９の構造は任意に選択され、本実施例では連結体１９は回転支点を有するアングル構造のものを示したが、腕、ねじ軸、回転軸等の構造が駆動機構の構造および配置位置によって任意に選択される。
以下に上記の構成の作用を説明する。
【００１７】
通常時は、図１に示す如く、上部ベッド２と下部ベッド３が接続構造１２によって一体に接続されており、一般のベッドと同様な扁平な状態であって通常の状態で利用者は利用することができる。
利用者がベッド上で仰臥状態で膝を立てたい場合や介護者が利用者のパジャマの着替えをさせたいような場合、利用者は膝の裏側を膝上げ台１６の上に位置させ、図示しない操作具のスイッチをＯＮすることにより、駆動機構１８を駆動させて膝上げ台１４を上昇させる。これによって、両膝を持ち上げることができ、所望の高さでスイッチをＯＦＦすることによってその高さを維持する。そこで、膝上げバーはその高さにあってもよく、また、その状態を維持する筋力があったり利用者が所望する場合には元の位置に下げて戻して膝は立てた状態にしてもよい。これによって、所望の角度（高さ）に膝を立てた状態にすることができる。この状態は着替え等もさせ易い。
【００１８】
さらに、両膝を持ち上げる高さは、膝をわずかに上げる高さや、脚全体が浮き、さらに腰を浮かせることができる高さ等任意である。このようにして時々脚の位置を換えたり膝を立てたりすることにより、とこずれを防止することもできる。
また、駆動機構の取り付け状態によって左右の膝上げバーを同時もしくは個別に操作して上下動させるようにすることができ、これによって両脚を同時に上げたり下げたり、片脚づつを上げたり下げたりすることが可能となる。
【００１９】
左右の高さを変えることにより寝返りを打ったり、身体を横に向けたりすることが容易となる。
つぎに、例えば、利用者のおむつ、パジャマさらにはシーツを交換するような作業の場合、介護者はベッドの側方からでは作業がしにくい。そのような場合、接続構造１２の接続状態を解除することによって上部ベッド２と下部ベッド３は分離が可能となる。そこで、分離した上部ベッド２もしくは下部ベッド３の任意の一方もしくは両方のベッドを任意の位置に移動させることによって上部ベッド２の下方に下部ベッド３のない空間を形成することができる。
【００２０】
さらに、介護者は、おむつ取り替え操作等に際して、両ふくらはぎをそれぞれ膝上げ台１６上に載せた状態にして両方の膝上げ台を上げることにより、両膝上げ台の間の中央部が空いているために、図４に示す如く、介護者の面前に膝上げ台がなく空間になるために介護作業の邪魔にならない。
このように介護者は、利用者の下腹部に対して正面に障害物がない状態で向かい合うことができるために、介護者は無理のない姿勢で膝上げ台１６によって上げられた腰下の空間を利用して両手を使っておむつを取り替えることができ、今までのように利用者の腰を片方の手で上げたり支えたりして片手で取り替え作業をすることなく、両手を同時に用いて十分な作業を行うことができる。
【００２１】
このとき、介護者は、足載せ台１３に膝をついて作業をすることもでき、中腰の体勢での作業をしなくてすむことになる。
つぎに、上記した脚を上げた状態にすると、差込便器を容易に使用することができる。図４に示す如く、上部ベッド２を平らな状態もしくは多少起こした状態にして膝上げ台１６を上げて使用者の膝を上げることによって腿を上げ、差込便器２０を差し込む。この状態でも排便を行うことができるが、さらに、曲折機構により上部ベッド２を折り曲げると共に膝上げ台１６を下げて椅子状にする。これによって、図５に示す如く、使用者は差込便器２０の上に座ることができ、通常の排便姿勢で腹圧のかかる排便を行うことができることになり、使用者には無理なく差込便器により通常の排便ができることになる。これによって、介護作業が極めて行い易くなり、介護者の負担が大きく軽減される。
【００２２】
また、上記説明でも明らかな如く、図３に示す如く、椅子としても使用することができるもので、曲折機構により上部ベッド２を折り曲げると共に膝上げ台１６を下げて椅子状態にする。このとき、足載せ台１３を下げて足を載せることができる。これによって、寝たきりになっている使用者も容易に座る状態に戻すことができ、体力の回復を図ることができる。さらには、これによって食事やその他椅子に座ってできるような作業が可能となる。
【００２３】
つぎに、下腹部洗浄を説明する。
下腹部洗浄は、図６、図７に示す如く、脚を上げた状態で、シンク１４上のマットレスを除去してシンク１４を出し、排出口１５に接続したホースの開口端をバケツ等に入れる。腰の下からシンクの端部にかけてマットレス上に合成樹脂等による防水シート２１を敷く。
【００２４】
そこで、ポータブル型の温水シャワー供給装置２２を用いて介護者は下腹部を洗浄を行うことができる。この温水シャワー供給装置は、一般に市販されて使用されているものでよく、例えば、水を入れた容器内に温度設定可能な水中ヒータと水中ポンプがあり、排水ホースの先端にハンドシャワーを取り付けたものをそのままもしくは適宜改良して用いることができる。
【００２５】
図示する如く、膝上げ台１６は、左右からそれぞれの脚を膝から足さきにかけて上げ、下腹部に介護者が正面に障害物がない状態で向かい合うことができるために、介護者は無理のない姿勢で下腹部洗浄を行うことができる。
また、洗浄に用いた汚水は、すべてシンク１４に落ち、ホースを介してバケツに流出する。
【００２６】
洗浄終了後は、シンク１４を洗い流し、水分をふき取って、その上にマットレスを設置してベッド状態に戻す。
なお、差込便器を用いる場合、上記したマットレス上で用いるのではなく，シンク上のマットレスを除去してシンクを露出させてそのシンク上に差込便器を置いて使用してもよい。
【００２７】
以上の如く、上記した各種作業後は、上部ベッド２と下部ベッド３をもとの対向位置に戻し、接続構造１２で両者を連結することによって一体とする。その状態で、駆動機構１８を作動させて膝上げ台１６を下ろし、収納部１７に納めることによって通常の平坦状のベッドに戻すことができる。  
【図面の簡単な説明】
【００２８】
【図１】実施例を示す説明図
【図２】分離状態を示す説明図
【図３】上部ベッドを椅子状に折り曲げた状態の説明図
【図４】排便作動状態を示す説明図
【図５】排便作動状態を示す説明図
【図６】シンク上のマットを外した状態の説明図
【図７】下腹部洗浄の作動状態を示す説明図
【符号の説明】
【００２９】
１  ベッド本体
２  上部ベッド
３  下部ベッド
４  フレーム
５  フレーム
６  脚部
７  脚部
８  キャスター
９  キャスター
１０  係止突起
１１  係止部
１２  接続構造
１３  足載せ台
１４  シンク
１５  排出口
１６  膝上げ台
１７  収納部
１８  駆動機構
１９  連結体
２０  差込便器
２１  防水シート
２２  温水シャワー供給装置
【図１】
2008136780.tif 000003
【図２】
2008136780.tif 000004
【図３】
2008136780.tif 000005
【図４】
2008136780.tif 000006
【図５】
2008136780.tif 000007
【図６】
2008136780.tif 000008
【図７】
2008136780.tif 000009